(57)【要約】【課題】消火液として混合後に粘度が高まるものを用いる場合でも、消火液を混合器から消火ノズルまで容易に送出することができる消火設備を提供する。【解決手段】消火薬剤が封入された消火薬剤タンク３と、消火水が封入された消火水タンク４と、前記消火薬剤と前記消火水とを混合して消火液にする混合器５と、前記混合器５で混合した消火液を放射する消火ノズル６とを備えた消火設備１において、前記混合器５は、前記消火ノズル６に直接接続されて一体のものとして設けられたものであることを特徴とする。【選択図】図１
2013070961.tif 000002
【特許請求の範囲】
【請求項１】
消火薬剤が封入された消火薬剤タンクと、消火水が封入された消火水タンクと、前記消火薬剤と前記消火水とを混合して消火液にする混合器と、前記混合器で混合した消火液を放射する消火ノズルとを備えた消火設備において、
前記混合器は、前記消火ノズルに直接接続されて一体のものとして設けられたものであることを特徴とする消火設備。
【請求項２】
消火薬剤が封入された消火薬剤タンクと、前記消火薬剤と外部水源から供給される消火水とを混合して消火液にする混合器と、前記混合器で混合した消火液を放射する消火ノズルとを備えた消火設備において、
前記混合器は、前記消火ノズルに直接接続されて一体のものとして設けられたものであることを特徴とする消火設備。
【請求項３】
前記混合器は、前記消火薬剤タンクと消火薬剤供給ホースで接続されると共に、前記消火水タンクと消火水供給ホースで接続され、又、前記混合器は、前記消火ノズルと共に可搬のものであることを特徴とする請求項１記載の消火設備。
【請求項４】
前記混合器は、前記消火薬剤タンクと消火薬剤供給ホースで接続されると共に、前記外部水源の消火水供給部と消火水供給ホースで接続され、又、前記混合器は、前記消火ノズルと共に可搬のものであることを特徴とする請求項２記載の消火設備。
【請求項５】
前記消火薬剤タンクと前記消火水タンクとに圧力導入ホースでそれぞれ接続され、前記消火薬剤タンクと前記消火水タンクとに圧力を導入して前記消火薬剤と前記消火水とを前記混合器に圧送するための圧力源と、全体をパッケージとして収容する箱を更に備えており、パッケージ型消火設備を構成するものであることを特徴とする請求項３記載の消火設備。
【請求項６】
前記外部水源の消火水供給部が消火栓であり、前記第消火水供給ホースから分岐して前記消火薬剤タンクに接続され、前記消火栓から供給される消火水の水圧を前記消火薬剤を前記混合器に圧送するための圧力として前記消火薬剤タンクに導入する圧力導入ホースを更に備えていることを特徴とする請求項４記載の消火設備。
【発明の詳細な説明】
【技術分野】
【０００１】
この発明は、消火薬剤と消火水とを混合して消火液として消火ノズルから放出する消火設備に関する。
【背景技術】
【０００２】
従来より、消火薬剤と消火水とを混合して消火液として消火ノズルから放射する消火設備が知られている。
【０００３】
この種の消火設備は、消火薬剤と消火水とを混合する混合器を備えているが、その混合器の二次側に消火ノズルが配管又はホースを介して接続されるものとなっている（例えば、特許文献１参照）。尚、混合器の一次側（入口側）には２本のホースが接続されているため、混合器まで持ち運ぶタイプの場合、消火ノズルの操作が煩わしくなる。そのため、消火ノズルと混合器とを離して設け、混合器と消火ノズルを１本のホースで接続し、消火ノズルだけを持ち運ぶようにしている。
【先行技術文献】
【特許文献】
【０００４】
【特許文献１】特開２００６−３２５６９６号公報
【発明の概要】
【発明が解決しようとする課題】
【０００５】
消火薬剤と消火水とを混合してなる消火液には、各種のものがあるが、水と混合すると粘度の高まる水溶性高分子化合物等を含む消火薬剤と消火水とを混合してなるゲル状の消火液のように混合後に粘度が高まるものがある。
【０００６】
従来の消火設備は、操作する消火ノズルに接続されるホースが２本あると、消火ノズルの操作が煩わしいため、前記のように、混合器の二次側に消火ノズルが配管又はホースを介して接続されるものとなっている。しかし、混合器と消火ノズルとの間に配管又はホースがあることから、消火液が混合後に粘度が高まるものである場合、混合前の混合器までの消火薬剤の送出は容易でも、混合後の消火液の混合器から消火ノズルまでの送出が困難となる。
【０００７】
この発明は、前記の事情に鑑み、消火液として混合後に粘度が高まるものを用いる場合でも、消火液を混合器から消火ノズルまで容易に送出することができる消火設備を提供することを目的とする。
【課題を解決するための手段】
【０００８】
この発明は、消火薬剤が封入された消火薬剤タンクと、消火水が封入された消火水タンクと、前記消火薬剤と前記消火水とを混合して消火液にする混合器と、前記混合器で混合した消火液を放射する消火ノズルとを備えた消火設備において、前記混合器は、前記消火ノズルに直接接続されて一体のものとして設けられたものであることを特徴とする消火設備である。
【０００９】
又、この発明は、消火薬剤が封入された消火薬剤タンクと、前記消火薬剤と外部水源から供給される消火水とを混合して消火液にする混合器と、前記混合器で混合した消火液を放射する消火ノズルとを備えた消火設備において、前記混合器は、前記消火ノズルに直接接続されて一体のものとして設けられたものであることを特徴とする消火設備である。
【００１０】
又、この発明は、前記混合器は、前記消火薬剤タンクと消火薬剤供給ホースで接続されると共に、前記消火水タンクと消火水供給ホースで接続され、又、前記混合器は、前記消火ノズルと共に可搬のものであることを特徴とする消火設備である。
【００１１】
又、この発明は、前記混合器は、前記消火薬剤タンクと消火薬剤供給ホースで接続されると共に、前記外部水源の消火水供給部と消火水供給ホースで接続され、又、前記混合器は、前記消火ノズルと共に可搬のものであることを特徴とする消火設備である。
【００１２】
又、この発明は、前記消火薬剤タンクと前記消火水タンクとに圧力導入ホースでそれぞれ接続され、前記消火薬剤タンクと前記消火水タンクとに圧力を導入して前記消火薬剤と前記消火水とを前記混合器に圧送するための圧力源と、全体をパッケージとして収容する箱を更に備えており、パッケージ型消火設備を構成するものであることを特徴とする消火設備である。
【００１３】
又、この発明は、前記外部水源の消火水供給部が消火栓であり、前記消火水供給ホースから分岐して前記消火薬剤タンクに接続され、前記消火栓から供給される消火水の水圧を前記消火薬剤を前記混合器に圧送するための圧力として前記消火薬剤タンクに導入する圧力導入ホースを更に備えていることを特徴とする消火設備である。
【発明の効果】
【００１４】
この発明は、混合器が消火ノズルに直接接続されて一体のものとして設けられており、混合器と消火ノズルとの間に配管やホースがないものとなっていて、混合器が混合した消火液を直ちに消火用ノズルから放射するものとなっている。
【００１５】
従って、この発明によれば、消火液として混合後に粘度が高まるものを用いる場合でも、消火液を混合器から消火ノズルまで容易に送出することができる消火設備を提供することができる。
【００１６】
又、この発明によれば、混合器が消火薬剤タンクとホースで接続されると共に、消火水タンク又は外部水源とホースで接続されるものであることで、混合器を消火ノズルと共に容易に可搬のものとすることもできる。
【００１７】
又、この発明によれば、消火薬剤と前記消火水とを前記混合器に圧送するための圧力源と、全体をパッケージとして収容する箱を備えるものであることで、設備として自己完結のパッケージ型消火設備を構成することもできる。
【００１８】
又、この発明によれば、外部水源の消火水供給部が消火栓であり、消火水供給ホースから分岐して消火薬剤タンクに接続され、消火栓から供給される消火水の水圧を消火薬剤を混合器に圧送するための圧力として消火薬剤タンクに導入する圧力導入ホースを備えるものであることで、消火薬剤を混合器に圧送する圧力源を得ながら、消火栓接続型消火設備を構成することもできる。
【図面の簡単な説明】
【００１９】
【図１】この発明の第１の実施形態を示したブロック図である。
【図２】同上の第２の実施形態を示したブロック図である。
【発明を実施するための形態】
【００２０】
[第１の実施形態]
先ず、図１に基づき、第１の実施形態の消火設備１−１について説明する。
【００２１】
第１の実施形態の消火設備１−１は、全体がパッケージとして箱２の中に収容されるパッケージ型の消火設備を構成するものである。
【００２２】
具体的には、消火設備１−１は、消火薬剤が封入された消火薬剤タンク３と、消火水が封入された消火水タンク４と、消火薬剤と消火水とを混合して消火液にする混合器５と、混合器５で混合した消火液を放射する消火ノズル６を備えている。更に、消火薬剤タンク３と消火水タンク４とに圧力を導入して消火薬剤と消火水とを混合器５に圧送する圧力源の一例である窒素ガスボンベ７等を箱２の中に備えている。そして、混合器５が消火薬剤タンク３と消火薬剤供給ホースＨ１で接続されると共に、消火水タンク４と消火水供給ホースＨ２で接続され、窒素ガスボンベ７が消火薬剤タンク３と消火水タンク４とに圧力導入ホースＨ３、Ｈ３でそれぞれ接続されている。これにより、混合器５に消火薬剤タンク３内の消火薬剤と消火水タンク３内の消火水とを圧送することができるようになっており、混合器５で消火薬剤と消火水とを混合して消火液として、消火ノズル６から放射することができるようになっている。尚、混合器５は、消火薬剤タンク３及び消火水タンク４から内容物を吸い上げて混合する吸引型の混合器ではなく、両タンクを窒素ガスボンベ７で加圧して混合器５まで圧送するものとなっている。両タンクを加圧して内容物を混合器５まで圧送するものの場合、吸引型の混合器に比べて消火薬剤供給ホースＨ１及び消火水供給ホースＨ２を長くしても動作が可能となる。
【００２３】
そして、消火設備１−１において、混合器５は消火ノズル６に直接接続されて一体のものとして設けられている。即ち、混合器５の出口と消火ノズル６の入口が接続されており、混合器５と消火ノズル６との間には配管やホースがなく、混合器５が混合した消火液を消火ノズル６から直ちに放射するものとなっている。
【００２４】
消火設備１−１は、消火薬剤タンク３と、消火水タンク４と、この両タンクに圧力を導入して消火薬剤と消火水を混合器５に圧送するための圧力源とを、全体をパッケージとして収容する箱に収め、パッケージ型消火設備としている。
【００２５】
消火設備１−１は、前記の通りであるところ、消火液として混合後に粘度が高まるものを用いる場合でも、消火液を混合器５から消火ノズル６まで容易に送出することができるものとなっている。
【００２６】
又、消火設備１−１は、前記のように、混合器５が消火ノズル６に直接接続されて一体のものとして設けられ、又、混合器５が消火薬剤タンク３と消火薬剤供給ホースＨ１で接続されると共に、消火水タンク４と消火水供給ホースＨ２で接続されていることで、混合器５を消火ノズル６と共に容易に可搬のものとすることもできる。
【００２７】
[第２の実施形態]
次に、図２に基づき、第２の実施形態の消火設備１−２について説明する。尚、第１の実施形態の消火設備１−１と同様の構成については説明を省略する。
【００２８】
第２の実施形態の消火設備１−２は、外部水源の消火水供給部である消火栓（例えば屋内消火栓）に接続されて、消火栓接続型の消火設備を構成するものである。
【００２９】
消火設備１−２は、混合器５に消火水を供給する消火水供給ホースＨ２の基端が消火栓８に接続され、消火栓８から供給される消火水を消火水供給ホースＨ２を介して混合器５に供給し、消火水と消火薬剤を混合するものとなっている。又、その消火栓８から供給される消火水の水圧を消火薬剤を混合器５に圧送するための圧力として利用するものとなっており、消火薬剤タンク３に圧力を導入する圧力導入ホースＨ３が消火水供給ホースＨ２から分岐して消火薬剤タンク３に接続され、消火栓８から供給される消火水の水圧を消火薬剤を混合器５に圧送するための圧力として消火薬剤タンク３に導入するものとなっている。尚、消火薬剤タンク３内には、消火薬剤袋９が設けられ、消火薬剤袋９に消火薬剤が封入されている。消火薬剤袋９は消火薬剤供給ホースＨ１と接続している。消火栓８から供給される消火水は、圧力導入ホースＨ３から消火薬剤タンク３に導入される。導入された消火水によって、消火薬剤袋９が加圧され、消火薬剤は消火薬剤供給ホースＨ１を通って混合器５まで圧送される。
【００３０】
これにより、消火設備１−２は、消火薬剤タンク３から混合器５に消火薬剤を圧送する圧力源を得ながら、消火栓接続型の消火設備を構成することができるものともなっている。
【００３１】
又、この消火設備１−２において、消火薬剤タンク３は、前記のように、消火水供給ホースＨ２から分岐する圧力導入ホースＨ３によって、消火栓８から供給される消火水の水圧を消火薬剤を混合器５に圧送する圧力とする。そのため、消火薬剤タンク３は、消火ノズル６及び混合器５の近くに位置するものとすることができ、消火ノズル６及び混合器５と共に可搬のものとすることもできる。
【００３２】
尚、本実施形態の消火設備１−２においても、混合器５は消火ノズル６に直接接続されて一体のものとして設けられていて、混合器５が混合した消火液を消火ノズル６から直ちに放射することができるようになっており、消火液として混合後に粘度が高まるものを用いる場合でも、消火液を混合器５から消火ノズル６まで容易に送出することができるようになっている。
【符号の説明】
【００３３】
１−１，１−２：消火設備  ２：箱  ３：消火薬剤タンク  ４：消火水タンク
５：混合器  ６：消火ノズル  ７：窒素ガスボンベ  ８：消火栓
Ｈ１：消火薬剤供給ホース  Ｈ２：消火水供給ホース  Ｈ３：圧力導入ホース
【図１】
2013070961.tif 000003
【図２】
2013070961.tif 000004